【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
消費電力を低減するための省エネモードを実施するために、電力供給を制御する制御手段と、
省エネモードへの移行前に、当該省エネモードからの復帰時間を特定可能な情報を、ネットワークを介して接続される情報処理装置へ通知する通知手段と、
前記情報処理装置から送信されたデータを省エネモード中に受信するのに応じて、前記省エネモードからの復帰を開始する復帰手段と、
前記省エネモードから復帰した後、前記情報処理装置からの要求に応じた処理を実行する実行手段とを有することを特徴とする省エネモード搭載装置。
【請求項２】
前記実行手段は、前記情報処理装置から送信されたデータを受信してから前記復帰時間の経過以降に受信された前記情報処理装置からの要求に応じて、処理を実行することを特徴とする請求項１に記載の省エネモード搭載装置。
【請求項３】
前記制御手段は複数の復帰時間の異なる省エネモードを実施させることが可能であり、前記通知手段は実施する省エネモードに対応する復帰時間を通知することを特徴とする請求項１又は２に記載の省エネモード搭載装置。
【請求項４】
前記省エネモード搭載装置は画像形成装置を含むことを特徴とする請求項１乃至３のいずれか１項に記載の省エネモード搭載装置。
【請求項５】
前記情報処理装置からの要求は、画像形成要求であり、前記実行手段は、当該要求に応じて画像形成を実行することを特徴とする請求項１乃至４のいずれか１項に記載の省エネモード搭載装置。
【請求項６】
前記情報処理装置からの要求は、前記省エネモード搭載装置のステータスを問い合わせる要求であり、前記実行手段は、当該要求に応じてステータスを前記情報処理装置に送信することを特徴とする請求項１乃至４のいずれか１項に記載の省エネモード搭載装置。
【請求項７】
ネットワーク上の情報処理装置のアドレスを記憶する記憶手段を更に有し、前記通知手段は、前記記憶手段に記憶されるアドレス宛てに、前記省エネモードからの復帰時間を特定可能な情報を通知することを特徴とする請求項１乃至６のいずれか１項に記載の省エネモード搭載装置。
【請求項８】
前記通知手段は、前記省エネモードからの復帰時間を特定可能な情報を、前記ネットワーク上にブロードキャスト送信することを特徴とする請求項１乃至７のいずれか１項に記載の省エネモード搭載装置。
【請求項９】
消費電力を低減するための省エネモードを有する省エネモード搭載装置から、省エネモードからの復帰時間を特定可能な情報を受信する受信手段と、
前記受信手段で受信した情報に基づいて、省エネモード搭載装置と当該省エネモード搭載装置の省エネモードからの復帰時間を記憶する記憶手段と、
前記省エネモード搭載装置へデータを送信する第１送信手段と、
前記第１送信手段によってデータを送信してから、前記記憶手段に記憶される省エネモードからの復帰時間が経過した後、前記省エネモード搭載装置へ処理要求を送信する第２送信手段とを有することを特徴とする情報処理装置。
【請求項１０】
前記処理要求は、前記省エネモード搭載装置のステータスを問い合わせる要求であることを特徴とする請求項９に記載の情報処理装置。
【請求項１１】
前記処理要求は、画像形成要求であることを特徴とする請求項９記載の情報処理装置。 
【請求項１２】
前記省エネモード搭載装置を含む複数の装置から返信されたステータスに基づいて、使用可能な装置の一覧を表示する一覧表示手段と、
前記一覧からのユーザの選択指示に対応して、選択された装置へ処理開始を要求する処理要求手段とを更に有することを特徴とする請求項９乃至１１のいずれか１項に記載の情報処理装置。
【請求項１３】
前記第１送信手段によって送信されるデータは、前記省エネモード搭載装置に対して省エネモードからの復帰を指示するデータであることを特徴とする請求項９乃至１２のいずれか１項に記載の情報処理装置。
【請求項１４】
前記記憶手段は、複数の省エネモード搭載装置夫々に対応する復帰時間を記憶することを特徴とする請求項９乃至１３のいずれか１項に記載の情報処理装置。
【請求項１５】
前記情報処理装置はパーソナルコンピュータを含むことを特徴とする請求項９乃至１４のいずれか１項に記載の情報処理装置。
【請求項１６】
消費電力を低減するための省エネモードを実施するために、電力供給を制御する制御工程と、
省エネモードへの移行前に、当該省エネモードからの復帰時間を特定可能な情報を、ネットワークを介して接続される情報処理装置へ通知する通知工程と、
前記情報処理装置から送信されたデータを省エネモード中に受信するのに応じて、前記省エネモードからの復帰を開始する復帰工程と、
前記省エネモードから復帰した後、前記情報処理装置からの要求に応じた処理を実行する実行工程とを有することを特徴とする省エネモード搭載装置の制御方法。
【請求項１７】
消費電力を低減するための省エネモードを有する省エネモード搭載装置から、省エネモードからの復帰時間を特定可能な情報を受信する受信工程と、
前記受信工程で受信した情報に基づいて、省エネモード搭載装置と当該省エネモード搭載装置の省エネモードからの復帰時間を記憶する記憶工程と、
前記省エネモード搭載装置へデータを送信する第１送信工程と、
前記第１送信工程でデータを送信してから、前記記憶工程で記憶された省エネモードからの復帰時間が経過した後、前記省エネモード搭載装置へ処理要求を送信する第２送信工程とを有することを特徴とする情報処理装置の制御方法。
【請求項１８】
省エネモード搭載装置の制御方法をコンピュータに実現させるためのプログラムであって、
消費電力を低減するための省エネモードを実施するために、電力供給を制御する制御工程と、
省エネモードへの移行前に、当該省エネモードからの復帰時間を特定可能な情報を、ネットワークを介して接続される情報処理装置へ通知する通知工程と、
前記情報処理装置から送信されたデータを受信するのに応じて、前記省エネモードからの復帰を開始する復帰工程と、
前記省エネモードから復帰した後、前記情報処理装置からの要求に応じた処理を実行する実行工程とをコンピュータに実行させるためのプログラム。
【請求項１９】
情報処理装置の制御方法をコンピュータに実現させるためのプログラムであって、
消費電力を低減するための省エネモードを有する省エネモード搭載装置から、省エネモードからの復帰時間を特定可能な情報を受信する受信工程と、
前記受信手段で受信した情報に基づいて、省エネモード搭載装置と当該省エネモード搭載装置の省エネモードからの復帰時間を記憶する記憶工程と、
前記省エネモード搭載装置へデータを送信する第１送信工程と、
前記送信手段によってデータを送信してから、前記記憶工程で記憶された省エネモードからの復帰時間が経過した後、前記省エネモード搭載装置へ処理要求を送信する第２送信工程とをコンピュータに実行させるためのプログラム。
【手続補正２】
【補正対象書類名】明細書
【補正対象項目名】０００６
【補正方法】変更
【補正の内容】
【０００６】
上記課題を解決する為に、本発明の省エネモード搭載装置は、消費電力を低減するための省エネモードを実施するために、電力供給を制御する制御手段と、省エネモードへの移行前に、当該省エネモードからの復帰時間を特定可能な情報を、ネットワークを介して接続される情報処理装置へ通知する通知手段と、前記情報処理装置から送信されたデータを省エネモード中に受信するのに応じて、前記省エネモードからの復帰を開始する復帰手段と、前記省エネモードから復帰した後、前記情報処理装置からの要求に応じた処理を実行する実行手段とを有することを特徴とする。
【手続補正３】
【補正対象書類名】明細書
【補正対象項目名】０００７
【補正方法】変更
【補正の内容】
【０００７】
ここで、前記実行手段は、前記情報処理装置から送信されたデータを受信してから前記復帰時間の経過以降に受信された前記情報処理装置からの要求に応じて、処理を実行する。また、前記制御手段は複数の復帰時間の異なる省エネモードを実施させることが可能であり、前記通知手段は実施する省エネモードに対応する復帰時間を通知する。また、前記省エネモード搭載装置は画像形成装置を含む。また、前記情報処理装置からの要求は、画像形成要求であり、前記実行手段は、当該要求に応じて画像形成を実行する。また、前記情報処理装置からの要求は、前記省エネモード搭載装置のステータスを問い合わせる要求であり、前記実行手段は、当該要求に応じてステータスを前記情報処理装置に送信する。また、ネットワーク上の情報処理装置のアドレスを記憶する記憶手段を更に有し、前記通知手段は、前記記憶手段に記憶されるアドレス宛てに、前記省エネモードからの復帰時間を特定可能な情報を通知する。また、前記通知手段は、前記省エネモードからの復帰時間を特定可能な情報を、前記ネットワーク上にブロードキャスト送信する。
【手続補正４】
【補正対象書類名】明細書
【補正対象項目名】０００８
【補正方法】変更
【補正の内容】
【０００８】
又、本発明の情報処理装置は、消費電力を低減するための省エネモードを有する省エネモード搭載装置から、省エネモードからの復帰時間を特定可能な情報を受信する受信手段と、前記受信手段で受信した情報に基づいて、省エネモード搭載装置と当該省エネモード搭載装置の省エネモードからの復帰時間を記憶する記憶手段と、前記省エネモード搭載装置へデータを送信する第１送信手段と、前記第１送信手段によってデータを送信してから、前記記憶手段に記憶される省エネモードからの復帰時間が経過した後、前記省エネモード搭載装置へ処理要求を送信する第２送信手段とを有することを特徴とする。
【手続補正５】
【補正対象書類名】明細書
【補正対象項目名】００１０
【補正方法】変更
【補正の内容】
【００１０】
又、本発明の省エネモード搭載装置の制御方法は、消費電力を低減するための省エネモードを実施するために、電力供給を制御する制御工程と、省エネモードへの移行前に、当該省エネモードからの復帰時間を特定可能な情報を、ネットワークを介して接続される情報処理装置へ通知する通知工程と、前記情報処理装置から送信されたデータを省エネモード中に受信するのに応じて、前記省エネモードからの復帰を開始する復帰工程と、前記省エネモードから復帰した後、前記情報処理装置からの要求に応じた処理を実行する実行工程とを有することを特徴とする。
【手続補正６】
【補正対象書類名】明細書
【補正対象項目名】００１１
【補正方法】変更
【補正の内容】
【００１１】
又、本発明の情報処理装置の制御方法は、消費電力を低減するための省エネモードを有する省エネモード搭載装置から、省エネモードからの復帰時間を特定可能な情報を受信する受信工程と、前記受信工程で受信した情報に基づいて、省エネモード搭載装置と当該省エネモード搭載装置の省エネモードからの復帰時間を記憶する記憶工程と、前記省エネモード搭載装置へデータを送信する第１送信工程と、前記第１送信工程でデータを送信してから、前記記憶工程で記憶された省エネモードからの復帰時間が経過した後、前記省エネモード搭載装置へ処理要求を送信する第２送信工程とを有することを特徴とする。
【手続補正７】
【補正対象書類名】明細書
【補正対象項目名】００１２
【補正方法】変更
【補正の内容】
【００１２】
又、本発明のプログラムは、省エネモード搭載装置の制御方法をコンピュータに実現させるためのプログラムであって、消費電力を低減するための省エネモードを実施するために、電力供給を制御する制御工程と、省エネモードへの移行前に、当該省エネモードからの復帰時間を特定可能な情報を、ネットワークを介して接続される情報処理装置へ通知する通知工程と、前記情報処理装置から送信されたデータを受信するのに応じて、前記省エネモードからの復帰を開始する復帰工程と、前記省エネモードから復帰した後、前記情報処理装置からの要求に応じた処理を実行する実行工程とをコンピュータに実行させる。
【手続補正８】
【補正対象書類名】明細書
【補正対象項目名】００１３
【補正方法】変更
【補正の内容】
【００１３】
又、本発明のプログラムは、情報処理装置の制御方法をコンピュータに実現させるためのプログラムであって、消費電力を低減するための省エネモードを有する省エネモード搭載装置から、省エネモードからの復帰時間を特定可能な情報を受信する受信工程と、前記受信手段で受信した情報に基づいて、省エネモード搭載装置と当該省エネモード搭載装置の省エネモードからの復帰時間を記憶する記憶工程と、前記省エネモード搭載装置へデータを送信する第１送信工程と、前記送信手段によってデータを送信してから、前記記憶工程で記憶された省エネモードからの復帰時間が経過した後、前記省エネモード搭載装置へ処理要求を送信する第２送信工程とをコンピュータに実行させる。